(57)【要約】【課題】シンプルな構造で部品点数の増加やコストアップを抑え、重量アップや装置の大型化も回避しつつ、ドラム振動の床への伝達を十分に抑え、ドラム本来の音を出すことができ、且つ高さ調節もできるドラムスタンド及びこれを備えるドラム装置を提供せんとする。【解決手段】ドラムＤを左右側方から回動可能且つ高さ変更可能に支持する左右の支持部２と、各支持部２の下方に連続して設けられ、支持部２により回動されるドラムの回動軸の方向に対して直交する方向に屈曲した屈曲部３０、３１を有する左右の弾性付与部３とを備えた。【選択図】図１
2016173417.tif 000002
【特許請求の範囲】
【請求項１】
ドラムを左右側方から回動可能且つ高さ変更可能に支持する左右の支持部と、
各支持部の下方に連続して設けられ、前記回動軸の方向に直交する方向に屈曲した単又は複数の屈曲部を有する左右の弾性付与部と、
を備えてなることを特徴とするドラムスタンド。
【請求項２】
前記支持部を、ドラムを左右側方から回動角変更可能に支承する角度調節機構と、高さ方向に長く構成され、前記角度調節機構を高さ位置変更可能に支持する支持部材とより構成してなる請求項１記載のドラムスタンド。
【請求項３】
前記支持部材の上側の領域を、前記角度調節機構を高さ位置変更可能に支持する支持領域とし、これに連続する下側の領域に、前記回動軸の方向に直交する方向に屈曲した単又は複数の屈曲部を有する前記弾性付与部を設けてなる請求項２記載のドラムスタンド。
【請求項４】
前記支持部材の前記弾性付与部より下側の領域に、さらに前後水平に延びる基台部を設けてなる請求項３記載のドラムスタンド。
【請求項５】
前記支持部材を、中空又は中実の長尺部材より構成してなる請求項３又は４記載のドラムスタンド。
【請求項６】
前記支持部と弾性付与部と基台部とを左右独立した前記長尺部材によりそれぞれ構成するとともに、左右の基台部の間に単又は複数の連結部材を渡設し、これら左右の基台部及び連結部材により基台を構成してなる請求項５記載のドラムスタンド。
【請求項７】
前記角度調節機構が、
ドラムを回動可能に支承する支承部と、
前記支持部材に高さ位置変更可能に固定される固定部とよりなる請求項２〜６の何れか１項に記載のドラムスタンド。
【請求項８】
前記支承部を前記固定部よりも上方の位置に設けてなる請求項７記載のドラムスタンド。
【請求項９】
ドラムと、請求項１〜８のいずれか１項に記載のドラムスタンドとよりなるドラム装置。
【発明の詳細な説明】
【技術分野】
【０００１】
本発明は、ドラムを左右側方から回動可能に支持するドラムスタンド及びこれを備えるドラム装置に関する。
【背景技術】
【０００２】
この種のドラムスタンドとしては、従来から、床面に立設された支柱と、ドラム中心軸を含む平面に対して直交する方向に延びて、この支柱に支持された回転軸とを備え、ドラムをこの回転軸の回りに回転自在に支持するドラムスタンドが提供されている（例えば、特許文献１参照。）。しかし、このようなドラムスタンドはドラムの響きがスタンド、床に伝わり、ドラム本来の音が出ないという課題があった。
【０００３】
また、このような課題を解消するものとして、ドラムの周囲を囲むようにリング部材を配置し、このリング部材を一対の支柱に回転自在に支持させ、該リング部材に弾性保持具を介してドラム胴を支持させ、ドラムを浮いた状態に保持するドラムスタンドも提案されている（例えば、特許文献２、３参照）。
【０００４】
しかし、このようなドラムとリング部材との間の弾性保持具によって振動の伝わりを遮断するのは限界があり、リング部材や支柱を通じて床に振動が伝達してしまうという課題がある。また、このようなリング部材や弾性保持具は部品点数の増加、コストアップの原因となり、重量アップにも繋がる。また、ドラム胴の周りにドラムより大径のリング部材が存在すると、これを支持する左右の支柱の間隔も大きくなり、装置全体が大型化し、空間占有率が大きくなり効率が悪く、また演奏時に邪魔になる可能性もある。
【０００５】
また、従来、ドラムを高さ変更可能に支持するドラムスタンドが存在しなかった。これは、例えば特許文献１のドラムスタンドでは、ドラムを確りと支持するために設計される当該スタンドに高さ調節の機能を付与することまでは考慮されておらず、また特許文献２、３のドラムスタンドではリング部材やこれを支持する支柱の構造が特殊な構造であり、同じく高さ調節の機能を付与することは考慮されていない。
【先行技術文献】
【特許文献】
【０００６】
【特許文献１】実開平７−２６８９４号公報
【特許文献２】米国特許明細書第３７８０６１３号
【特許文献３】実開平３−１０５５４号公報
【発明の概要】
【発明が解決しようとする課題】
【０００７】
そこで、本発明が前述の状況に鑑み、解決しようとするところは、シンプルな構造で部品点数の増加やコストアップを抑え、重量アップや装置の大型化も回避しつつ、ドラム振動の床への伝達を十分に抑え、ドラム本来の音を出すことができ、且つ高さ調節もできるドラムスタンド及びこれを備えるドラム装置を提供する点にある。
【課題を解決するための手段】
【０００８】
本発明は、前述の課題解決のために、ドラムを左右側方から回動可能且つ高さ変更可能に支持する左右の支持部と、各支持部の下方に連続して設けられ、前記回動軸の方向に直交する方向に屈曲した単又は複数の屈曲部を有する左右の弾性付与部とを備えてなることを特徴とするドラムスタンドを提供する。
【０００９】
ここで、前記支持部を、ドラムを左右側方から回動角変更可能に支承する角度調節機構と、高さ方向に長く構成され、前記角度調節機構を高さ位置変更可能に支持する支持部材とより構成したものが好ましい。
【００１０】
特に、前記支持部材の上側の領域を、前記角度調節機構を高さ位置変更可能に支持する支持領域とし、これに連続する下側の領域に、前記回動軸の方向に直交する方向に屈曲した単又は複数の屈曲部を有する前記弾性付与部を設けたものが好ましい。
【００１１】
また、前記支持部材の前記弾性付与部より下側の領域に、さらに前後水平に延びる基台部を設けたものが好ましい。
【００１２】
また、前記支持部材を、中空又は中実の長尺部材より構成したものが好ましい。
【００１３】
さらに、前記支持部と弾性付与部と基台部とを左右独立した前記長尺部材によりそれぞれ構成するとともに、左右の基台部の間に単又は複数の連結部材を渡設し、これら左右の基台部及び連結部材により基台を構成したものが好ましい。
【００１４】
また、前記角度調節機構が、ドラムを回動可能に支承する支承部と、前記支持部材に高さ位置変更可能に固定される固定部とよりなるものが好ましい。
【００１５】
特に、前記支承部を前記固定部よりも上方の位置に設けたものが好ましい。
【００１６】
また本発明は、ドラムと、上記したドラムスタンドとよりなるドラム装置をも提供する。
【発明の効果】
【００１７】
以上にしてなる本願発明に係るドラムスタンド及びこれを備えるドラム装置によれば、上側の支持部でドラムを回動可能且つ高さ調節も支持しつつ、下側の限られた部位に、各支持部に連続して設けられ、回動軸の方向に直交する方向に屈曲した単又は複数の屈曲部を有する左右の弾性付与部を設けることで、当該屈曲部を備えたシンプルな構造によってドラム振動の床への伝達を効率良く抑えることができ、部品点数の増加やコストアップを抑え、重量アップや装置の大型化も回避しつつ、ドラム振動の床への伝達を十分に抑え、ドラム本来の音を出すことができる。
【００１８】
また弾性付与部は、上記のとおり単又は複数の屈曲部で構成され、上下の幅を抑えつつ長さを維持し、効率よくドラム振動の床への伝達を抑えることができるので、上側の支持部として高さ調節に必要な上下の幅を十分確保することができ、このように振動伝達の抑制の機能と高さ調節の機能を合せ持ちつつ、トータルの高さを抑えることができ、例えばドラムを下に下げても左右から上方に突出せず、演奏の邪魔にならないように構成することができる。
【００１９】
また、前記支持部を、ドラムを左右側方から回動角変更可能に支承する角度調節機構と、高さ方向に長く構成され、前記角度調節機構を高さ位置変更可能に支持する支持部材とより構成したので、当該支持部によりドラムの回動角を変更してドラム打面の角度を調節したり、当該角度調節機構の支持部材に対する取り付け高さを変更することで高さ調節をすることが可能となる。
【００２０】
また、前記支持部材の上側の領域を、前記角度調節機構を高さ位置変更可能に支持する支持領域とし、これに連続する下側の領域に、前記回動軸の方向に直交する方向に屈曲した単又は複数の屈曲部を有する前記弾性付与部を設けたので、一部材で高さ調節の機能と弾性付与部との双方を兼ね備えさせることができ、効率化によるコスト低減、軽量化が可能となる。
【００２１】
また、支持部材の弾性付与部より下側の領域に、さらに前後水平に延びる基台部を設けたので、同じく一部材で基台部も設けることができ、効率がよくコスト低減を図ることができ、軽量化も可能となる。
【００２２】
また、支持部材を、中空又は中実の長尺部材より構成したので、低コスト化、軽量化が可能であり、屈曲部を有する弾性付与部も効率よく形成することができる。
【００２３】
また、支持部と弾性付与部と基台部とを左右独立した前記長尺部材によりそれぞれ構成するとともに、左右の基台部の間に単又は複数の連結部材を渡設し、これら左右の基台部及び連結部材により基台を構成したので、このような左右独立の長尺部材は左右一体型に比べて屈曲部の曲げ加工を一平面上で終えることができ、加工コストが低減でき、トータルのコストも低減できるとともに、連結部材により基台を安定化させることも容易となる。
【００２４】
また、前記角度調節機構が、ドラムを回動可能に支承する支承部と、前記支持部材に高さ位置変更可能に固定される固定部とよりなるので、角度の調節と高さの調節を角度調節機構の支承部、固定部を動作させることで実現できる。
【００２５】
また、前記支承部を前記固定部よりも上方の位置に設けてなるので、高さ調節の際に上下に移動する固定部よりも上方の位置でドラムを回動可能に支持することとなり、高さ調節の範囲を維持しつつ、ドラムの高さを下方に下げても支持部材がドラムより上に突出して演奏の邪魔にならないように設定することが容易となり、言い換えれば、長すぎない支持部材を用いつつ十分に高い位置までドラムを調節することが可能となる。
【図面の簡単な説明】
【００２６】
【図１】本発明に代表的実施形態に係るドラム装置を示す斜視図。
【図２】同じくドラム打面を垂直に向けた角度姿勢の正面図。
【図３】同じくドラム装置を構成するドラムスタンドの支持部を示す要部の説明図。
【図４】同じく支持部を示す要部の斜視図。
【図５】同じく支持部の角度調節機構の支承部を示す分解斜視図。
【図６】同じく支承部の要部を示す断面図。
【図７】同じく角度調節機構を示す分解斜視図。
【図８】同じくドラムスタンドのブラケット部を除くスタンド本体の側面図。
【図９】（ａ）は支持部材の変形例を示す説明図、（ｂ）は同じく支持部材の他の変形例を示す説明図、（ｃ）は支持部材及び基台部の変形例を示す説明図。
【図１０】同じくドラム装置の使用状態を示す側面図。
【発明を実施するための形態】
【００２７】
次に、本発明の実施形態を添付図面に基づき詳細に説明する。
【００２８】
本発明に係るドラム装置Ｓは、図１及び図２に示すように、ドラムＤと、これをドラム打面の角度及び高さが調節可能となるように支持するドラムスタンド１とより構成されている。特にドラムスタンド１は、ドラムＤを左右側方から回動可能且つ高さ変更可能に支持する左右の支持部２と、各支持部２の下方に連続して設けられ、回動軸、すなわち支持部２により回動されるドラムの回動軸の方向に対して直交する方向に屈曲した屈曲部３０、３１を有する左右の弾性付与部３とを備えている。
【００２９】
弾性付与部３は、ドラムＤの演奏時の振動を床へ伝達されることを抑制し、ドラム本来の自然な鳴りを発揮しうるように作用する。尚、以下の説明では、ドラムＤをコンサートバスドラムとした例について説明するが、本発明はこれに何ら限定されず、和太鼓やドラムセットを構成する各種バスドラム、スネアドラム、タムタム等、また例えばマルチタムなど、複数のドラムを連結した連結体であってもよい。
【００３０】
支持部２は、図３及び図４にも示すように、ドラムＤを左右側方から回動角変更可能に支承する角度調節機構４と、高さ方向に長く構成され、角度調節機構４を高さ位置変更可能に支持する支持部材５とより構成されている。角度調節機構４はドラムＤの回動角を変更することでドラム打面の角度を調整する機構である。支持部材５により角度調節機構４の取り付け高さを変更することで打面の高さも調節することができる。
【００３１】
角度調節機構４は、より詳しくは、ドラムＤを回動可能に支承する支承部７と、支持部材５に対して高さ位置変更可能に固定される固定部８とより構成されている。支承部７は、回動軸となる軸部７０を有するドラム胴側に固定されるブラケット部７Ａと、該ブラケット部７Ａの軸部７０を支承する軸受け部７Ｂとより構成されている。支承部７については、以下説明する本例の構造に何ら限定されず、従来から公知のドラムスタンドの支承構造を広く採用できる。
【００３２】
ブラケット部７Ａは、図５にも示すように、ドラム胴９０に緩衝材７１を介して固定されるブラケット本体７２と、該ブラケット本体７２から外方に突出する軸部７０とより構成され、ブラケット本体７２は、本例では平面視十字形状の板材よりなり、四方に延びる十字の腕部のドラム胴側の面にそれぞれ筒状の緩衝材７１が取り付けネジ（ボルトナット７７）で固定され、該緩衝材７１が取り付けネジ（ボルトナット７６）によりドラム胴９０に直接固定されている。
【００３３】
緩衝材７１は、皮、ゴム、軟質樹脂等よりなる筒状成形体であり、図６にも示すように、ボルトナット７６、７７の各ナットには緩衝材７１の内周面に咬み込む埋込みナット（爪付きナット）が用いられている。
【００３４】
ブラケット部７Ａの軸部７０は、図３〜図５に示すように金属製の軸体７０ａの軸方向途中部又は先端部に大径軸部７０ｂを有し、該大径軸部７０ｂが軸受け部７Ｂにより軸方向に移動しないように嵌め込まれ、且つ回動可能に支持される。このような大径軸部７０ｂは、軸受け部７Ｂが比較的小さい挟持力で軸部７０を確実に回動不能に固定することが可能となる点で好ましい。
【００３５】
ブラケット部７Ａとともに支承部７を構成する軸受け部７Ｂは、図７にも示すように、半割状の下側受け部７３と上側受け部７４の組み合わせにより構成される。下側受け部７３は、連結材４０の上端部に固定され、上側受け部７４は、一端部７４ａが下側受け部７３又は連結材４０上端部に片持ち状に回動可能に支持され、他端部７４ｂに、下側受け部７３の端部７３ｂに回動可能に設けた係止部材７５により係止される凹溝７４ｃが形成されている。
【００３６】
これら下側受け部７３と上側受け部７４の間に上記軸部７０の大径軸部７０ｂを挟み込み、係止部材７５を凹溝７４ｃに係合することで軸部７０を回動不能に挟持し、ドラムＤを任意の角度位置に安定保持することができる。角度を変更する際は、係止部材７５を凹溝７４ｃから外すことで挟持力を緩め、軸部７０を任意の角度に回動させた状態で再び係止部材７５を凹溝７４ｃに係止させ、下側受け部７３と上側受け部７４の間に軸部７０を再び挟持させることで当該角度に固定することができる。尚、本例では左右双方とも下側受け部７３と上側受け部７４の間に挟持して固定するようにした構造であるが、左右何れか一方のみこのように挟持するように構成し、他方は係止部材７５を係合しても挟持せず、回動するように軸部７０を支持するように構成してもよい。
【００３７】
下側受け部７３及び上側受け部７４は、合成樹脂製の本体の外側に金属カバー部材７３Ｃ、７４Ｄを備えている。合成樹脂製とすることで軸部７０との回動方向への摩擦力を高め、軸部７０を挟持することでより確実に回動不能に固定できるように構成されている。金属カバー部材７３Ｃ、７４Ｄは補強のため設けられた部材であり、金属カバー部材７４Ｃには凹溝７４ｃに対応する位置に同じく凹溝７４ｄが形成され、その他ネジ孔等に対応する位置にはネジを通す通孔が形成されている。
【００３８】
支承部７とともに角度調節機構４を構成する固定部８は、図７に示すように、連結材４０の下端部に設けられ、支持部材５を挟み込んでフランジ間をボルトナット８３で締めつけるΩ型の一対のパイプ固定金具８０、８１より構成されている。ボルトナット８３のナットは固定金具８０に溶接されていてもよい。一方の固定金具８０は、連結材４０の下端部に内側を外方に向けて溶接固定されており、内側面に突起部８２ａが突設されている。突起部８２ａは支持部材５の所定間隔おきに複数形成された係止孔５１に係合する突起であり、本例では図３に示すように、螺孔８０ａに外面側からボルト８２を螺合し、内側に突出したボルト先端部により構成されている。
【００３９】
そして、当該突起部８２ａを係止孔５１に選択的に係合させたうえ、この固定金具８０に対して他方の固定金具８１を外側から上記ボルトナット８３、８３を用いて組み付けることで、固定部８は支持部材５の当該係止孔５１の高さ位置に固定される。
【００４０】
上記のとおり、角度調節機構４を構成する支承部７は連結材４０の上端部に設けられ、固定部８は連結材４０の下端部に設けられている。すなわち、支承部７は固定部８よりも上方の位置に設けられている。したがって、例えば図１０に示すようにドラム打面を水平にしてドラムの高さを最下方の位置に下げた場合に支持部材５がドラムよりも上に大きく突出して演奏の邪魔になるといったことを回避できる長さに容易に設定することができ、言い換えれば、長すぎない支持部材５を用いつつ十分に高い位置までドラムを調節することが可能である。
【００４１】
支持部材５は、中空又は中実の長尺部材よりなり、図８にも示すように、上側の領域に、高さ方向に直線状に延びて角度調節機構４を高さ位置変更可能に支持する支持領域Ｒ１が設けられ、これに連続する下側の領域Ｒ２に、回動軸の方向に直交する方向に屈曲する単又は複数の屈曲部３０、３１を備えた弾性付与部３が設けられ、更に、弾性付与部３に連続する下側の領域に、前後水平に延びる基台部５０として機能する領域Ｒ３が設けられている。
【００４２】
すなわち、支持部材５である長尺部材には、支持部２以外に、弾性付与部３及び基台部５０が設けられ、長尺部材は上記の３つの領域Ｒ１〜Ｒ３を有し、上側の直線状の領域Ｒ１は支持部２の一構成要素として機能し、中間の屈曲した領域Ｒ２は弾性付与部３として機能し、下側の水平の延びる領域Ｒ３は基台部５０を構成している。本例では、支持部２と弾性付与部３と基台部５０とが左右独立した長尺部材よりそれぞれ構成されているが、一本の長尺部材を横方向に屈曲させて左右の基台部５０の後端同士が連続した左右一体の基台部、左右の支持部、及び弾性付与部を設けたものでもよい。
【００４３】
また、上側の領域Ｒ１は、本例では水平な基台部５０に対して垂直な真上方向に延びているが、斜め方向でも勿論よい。また、固定部８の構造によっては、直線状でなくてもよい。支持部２として機能する上側の領域Ｒ１の軸方向長さは、支持部材５の高さ寸法を決め、そこから弾性付与部３の領域Ｒ２の高さ分を除いた長さを確保できる。支持部材５の高さ寸法は、図１０のように打面を水平にして最も下の位置にしたときに上端が打面から大きく突出せず、演奏の邪魔にならない程度に抑えることができる長さに決められる。これに基づいて確保される領域Ｒ１の長さがドラム高さの調節量（範囲）となる。領域Ｒ１には、少なくとも固定部８側に開口する係止孔５１が、長さ方向に沿って所定間隔おきに複数設けられている。
【００４４】
中間の領域Ｒ２よりなる弾性付与部３は、支持領域Ｒ１の下端部に連続して下方から前方へ９０度屈曲した屈曲部３０と、そこから前方に延びる水平部３２と、その前端部で前方から後方へ１８０度屈曲した屈曲部３１とよりなり、このような屈曲した領域が弾性変形することでドラムの振動を下側の基台部５０に伝わらないようにする緩衝領域として機能する。
【００４５】
尚、本例では前方へ屈曲させて水平部３２を設けた例であるが、前後へ２回以上屈曲させ、水平部を複数形成したものでもよい。例えば図９（ａ）に示すように支持領域Ｒ１から後方へ９０度屈曲した屈曲部３０Ａと、そこから後方へ延びる水平部３２Ａと、その後端部で後方から前方へ１８０度屈曲した屈曲部３０Ｂと、そこから前方に延びる水平部３２Ｂと、その前端部に形成される屈曲部３１とよりなるものも好ましい。このようにすれば支持領域Ｒ１の長さはより小さくなるが、弾性変形をより促進させることができる。
【００４６】
また、屈曲部３０、３１間を水平部３２としたが、水平ではなく斜めに傾斜させたものでもよい。例えば図９（ｂ）に示すように、９０度以上屈曲して前方斜め上方に向かう屈曲部とし、そこから斜め上方に直線状に延びる直線部３２Ｃと、その前端部に形成される同じく９０度以上屈曲して下方に向かう屈曲部３１Ａと、そこから下方に延びる直線部３３と、その下端部で９０度屈曲して後方に延びる屈曲部３１Ｂとよりなるものも、より長い距離を稼いで弾性を付与できる点で好ましい例である。水平部３２のように直線部で屈曲部間を繋いだ形状もの以外に、曲線状に連続的に繋いだ形状でもよい。
【００４７】
支持部材５の領域Ｒ３よりなる左右の基台部５０の間には、単又は複数の連結部材６１、６２が渡設され、これら左右の基台部５０、５０及び連結部材６１、６２により基台６が構成されている。連結部材６１、６２の左右両端部の下面には、それぞれキャスター６３が付設されている。連結部材は１本としてもよい。また本例では、支持部材５の領域Ｒ３で基台６を構成したものであるが、例えば図９（ｃ）に示すように領域Ｒ３を省略し、代わりに基台６を構成する左右の部材を別途設けたもの等、支持部材５とは独立に基台６を構成したものでも勿論よい。
【００４８】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００４９】
１  ドラムスタンド
２  支持部
３  弾性付与部
４  角度調節機構
５  支持部材
６  基台
７  支承部
７Ａ  ブラケット部
７Ｂ  軸受け部
８  固定部
３０、３０Ａ、３０Ｂ  屈曲部
３１、３１Ａ、３１Ｂ  屈曲部
３２、３２Ａ、３２Ｂ  水平部
３２Ｃ、３３  直線部
４０  連結材
５０  基台部
５１  係止孔
６１  連結部材
６３  キャスター
７０  軸部
７０ａ  軸体
７０ｂ  大径軸部
７１  緩衝材
７２  ブラケット本体
７３  下側受け部
７３Ｃ  金属カバー部材
７３ｂ  端部
７４  上側受け部
７４Ｃ  金属カバー部材
７４ａ、７４ｂ  端部
７４ｃ、７４ｄ  凹溝
７５  係止部材
７６、７７  ボルトナット
８０  固定金具
８０ａ  螺孔
８１  固定金具
８２  ボルト
８２ａ  突起部
８３  ボルトナット
９０  ドラム胴
Ｄ  ドラム
Ｒ１-Ｒ３  領域
Ｓ  ドラム装置
【図１】
2016173417.tif 000003
【図２】
2016173417.tif 000004
【図３】
2016173417.tif 000005
【図４】
2016173417.tif 000006
【図５】
2016173417.tif 000007
【図６】
2016173417.tif 000008
【図７】
2016173417.tif 000009
【図８】
2016173417.tif 000010
【図９】
2016173417.tif 000011
【図１０】
2016173417.tif 000012